(57)【特許請求の範囲】
【請求項１】
位相制御により出力電圧可変の交流電源に接続される一対の入力線の一方のみに直列に接続可能なコンデンサを有する直流カット回路と；
この直流カット回路を介して交流電源に接続された整流回路と；
この整流回路の出力を平滑する平滑回路と；
この平滑回路に接続され放電ランプを点灯するインバータ回路と；
を具備したことを特徴とする放電灯点灯装置。
【請求項２】
直流カット回路は、コンデンサが複数直列に接続されている
ことを特徴とする請求項１記載の放電灯点灯装置。
【請求項３】
コンデンサは、電解コンデンサで異なる極性に直列に接続されている
ことを特徴とする請求項２記載の放電灯点灯装置。
【請求項４】
直流カット回路は、電解コンデンサに逆極性の電圧が印加されたとき導通する方向の極性で電解コンデンサに対して並列に接続されたダイオードを有する
ことを特徴とする請求項３記載の放電灯点灯装置。
【請求項５】
位相制御により出力電圧可変の交流電源に接続可能な整流回路と；
平滑コンデンサを有し整流回路の出力を平滑する平滑回路と；
平滑コンデンサに対して直列に接続された抵抗、この抵抗を短絡可能な短絡手段および交流電源の平均電圧が低下すると短絡手段を開放して抵抗を平滑コンデンサに直列に接続させる制御手段を有するヒステリシス防止回路と；
平滑回路に接続され放電ランプを点灯するインバータ回路と；
を具備したことを特徴とする放電灯点灯装置。
【請求項６】
制御手段は、平滑コンデンサの電圧に従いスイッチング素子を制御する
ことを特徴とする請求項５記載の放電灯点灯装置。
【請求項７】
位相制御により出力電圧可変の交流電源に接続可能な整流回路と；
平滑コンデンサを有し整流回路の出力を平滑する平滑回路と；
平滑コンデンサに対して直列に接続され交流電源のヒステリシス特性を抑制可能な抵抗値を有する抵抗を備えたヒステリシス防止回路と；
平滑回路に接続され放電ランプを点灯するインバータ回路と；
を具備したことを特徴とする放電灯点灯装置。
【請求項８】
抵抗は、交流電源の平均電圧が高いときには抵抗値が低くなり、交流電源の平均電圧が低いときには高くなる
ことを特徴とする請求項７記載の放電灯点灯装置。
【請求項９】
抵抗は、正特性サーミスタである
ことを特徴とする請求項７または８記載の放電灯点灯装置。
【請求項１０】
位相制御により出力電圧可変の交流電源に接続可能な整流回路と；
平滑コンデンサを有し全平滑に切り換え可能で整流回路の出力を平滑する平滑回路と；
交流電源の平均電圧が低下すると平滑回路を全平滑に切り換える平滑方式切替回路と；
平滑回路に接続され放電ランプを点灯するインバータ回路と；
を具備したことを特徴とする放電灯点灯装置。
【請求項１１】
蛍光ランプと；
請求項１ないし１０いずれか一記載の放電灯点灯装置と；
放電灯点灯装置を収納するとともに蛍光ランプを支持するカバーと；
放電灯点灯装置が電気的に接続されるとともにカバーの基端に配設された口金と；
を具備したことを特徴とする電球形蛍光ランプ。
【請求項１２】
蛍光ランプが収納されカバーとともにほぼ電球形状を形成するグローブを
具備したことを特徴とする請求項１１記載の電球形蛍光ランプ。
【発明の詳細な説明】
【０００１】
【発明の属する技術分野】
本発明は、調光点灯させてもちらつきを防止した放電灯点灯装置および電球形蛍光ランプに関する。
【０００２】
【従来の技術】
一般に、平滑回路を用いた放電灯点灯装置は、商用交流電源の交流電圧をトライアックなどにより位相制御する位相制御形調光器に接続し、放電灯点灯装置に入力する交流電圧を位相制御形調光器で位相制御して、平均電圧を変化させることにより放電ランプをたとえば調光位相９０°から１８０°まで消灯することなく制御できる。
【０００３】
【発明が解決しようとする課題】
しかしながら、位相制御形調光器の特に調光下限、すなわち平均電圧の低い状態では、トライアックは負荷が軽いために正負の導通時間が異なってしまうヒステリシス特性が現れ、正負でランプ電流の波高値が異なり、放電ランプの明るさにちらつきが生じるおそれがある問題を有している。
【０００４】
本発明は、上記問題点に鑑みなされたもので、調光時にも明るさのちらつきを防止した放電灯点灯装置および電球形蛍光ランプを提供することを目的とする。
【０００５】
【課題を解決するための手段】
請求項１記載の放電灯点灯装置は、位相制御により出力電圧可変の交流電源に接続される一対の入力線の一方のみに直列に接続可能なコンデンサを有する直流カット回路と；この直流カット回路を介して交流電源に接続された整流回路と；この整流回路の出力を平滑する平滑回路と；この平滑回路に接続され放電ランプを点灯するインバータ回路とを具備したもので、たとえば交流電源の位相制御による正負の波高値のアンバランスが生じても、正負のアンバランスによる直流成分を直流カット回路のコンデンサでカットすることにより、直流成分がない交流が平滑回路を介してインバータ回路に供給され、このインバータ回路により放電ランプを点灯することにより、放電ランプのちらつきを防止する。
【０００６】
請求項２記載の放電灯点灯装置は、請求項１記載の放電灯点灯装置において、直流カット回路は、コンデンサが複数直列に接続されているもので、安価に小形化を図れる。
【０００７】
請求項３記載の放電灯点灯装置は、請求項２記載の放電灯点灯装置において、コンデンサは、電解コンデンサで異なる極性で直列に接続されているもので、電解コンデンサを用いることにより小形化および大容量化を図れるが、電解コンデンサは逆極性の電圧を印加できないので、直列に異なる極性で接続して、極性の異なる電解コンデンサによりそれぞれ異なる極性の電圧を分担する。
【０００８】
請求項４記載の放電灯点灯装置は、請求項３記載の放電灯点灯装置において、直流カット回路は、電解コンデンサに逆極性の電圧が印加されたとき導通する方向の極性で電解コンデンサに対して並列に接続されたダイオードを有するもので、電解コンデンサに逆極性の電圧が印加されてもダイオードにより導通することにより、電解コンデンサには逆極性の電圧が印加されないため、電解コンデンサを破壊することもない。
【０００９】
請求項５記載の放電灯点灯装置は、位相制御により出力電圧可変の交流電源に接続可能な整流回路と；平滑コンデンサを有し整流回路の出力を平滑する平滑回路と；平滑コンデンサに対して直列に接続された抵抗、この抵抗を短絡可能な短絡手段および交流電源の平均電圧が低下すると短絡手段を開放して抵抗を平滑コンデンサに直列に接続させる制御手段を有するヒステリシス防止回路と；平滑回路に接続され放電ランプを点灯するインバータ回路とを具備したもので、たとえば位相制御により交流電源の平均電圧を低下させて正負の波高値のアンバランスが生じても、ヒステリシス防止回路の制御手段により短絡手段を開放して平滑コンデンサに対して直列に抵抗を接続させることにより、インバータ回路に印加する電圧の正負非対称を抑制することにより、正負非対称を抑制した電圧がインバータ回路に供給され、このインバータ回路により放電ランプを点灯することにより、放電ランプのちらつきを防止する。
【００１０】
請求項６記載の放電灯点灯装置は、請求項５記載の放電灯点灯装置において、制御手段は、平滑コンデンサの電圧に従いスイッチング素子を制御するもので、平滑コンデンサは交流電源の電圧に対応した電圧になるので、平滑コンデンサの電圧に従いスイッチング素子を制御することにより、簡単な構成で交流電源の平均電圧に対応可能である。
【００１１】
請求項７記載の放電灯点灯装置は、位相制御により出力電圧可変の交流電源に接続可能な整流回路と；平滑コンデンサを有し整流回路の出力を平滑する平滑回路と；平滑コンデンサに対して直列に接続され交流電源のヒステリシス特性を抑制可能な抵抗値を有する抵抗を備えたヒステリシス防止回路と；平滑回路に接続され放電ランプを点灯するインバータ回路とを具備したもので、抵抗は交流電源のヒステリシス特性を抑制可能な抵抗値であるので平滑コンデンサに直列に接続することにより、正負非対称を抑制した電圧がインバータ回路に供給され、このインバータ回路により放電ランプを点灯することにより、放電ランプのちらつきを防止する。
【００１２】
請求項８記載の放電灯点灯装置は、請求項７記載の放電灯点灯装置において、抵抗は、交流電源の平均電圧が高いときには抵抗値が低くなり、交流電源の平均電圧が低いときには高くなるもので、平均電圧が高いときにはヒステリシス特性が小さいので抵抗値を小さくすることによりインバータ回路の効率の低下を防止し、平均電圧が低いときにはヒステリシス特性が大きいので抵抗値を大きくすることによりヒステリシス特性を抑制する。
【００１３】
請求項９記載の放電灯点灯装置は、請求項７または８記載の放電灯点灯装置において、抵抗は、正特性サーミスタであるもので、正特性サーミスタを用いることにより平均電圧が高いときには正特性サーミスタに流れる電流は大きくないため発熱せず抵抗値は低い状態になり、平均電圧が低いときには正特性サーミスタに流れる電流が増加して発熱して抵抗値は高い状態になる。
【００１４】
請求項１０記載の放電灯点灯装置は、位相制御により出力電圧可変の交流電源に接続可能な整流回路と；平滑コンデンサを有し全平滑に切り換え可能で整流回路の出力を平滑する平滑回路と；交流電源の平均電圧が低下すると平滑回路を全平滑に切り換える平滑方式切替回路と；平滑回路に接続され放電ランプを点灯するインバータ回路とを具備したもので、通常時には平滑回路により部分平滑してインバータ回路に電圧を印加することにより、交流電源の電圧に追従して放電ランプの輝度を調整でき、平均電圧が所定値以上低下すると平滑回路は全平滑することにより、交流電源の周波数に対して発生する正負非対称を抑制した電圧がインバータ回路に供給され、このインバータ回路により放電ランプを点灯することにより、放電ランプのちらつきを防止する。
請求項１１記載の電球形蛍光ランプは、蛍光ランプと；請求項１ないし１０いずれか一記載の放電灯点灯装置と；放電灯点灯装置を収納するとともに蛍光ランプを支持するカバーと；放電灯点灯装置が電気的に接続されるとともにカバーの基端に配設された口金とを具備したもので、それぞれの作用を奏する。
【００１５】
請求項１２記載の電球形蛍光ランプは、請求項１１記載の電球形蛍光ランプにおいて、蛍光ランプが収納されカバーとともにほぼ電球形状を形成するグローブを具備したもので、電球に比べて低い消費電力で電球に代えて用いることができる。
【００１６】
【発明の実施の形態】
以下、本発明の電球形蛍光ランプの一実施の形態を図面を参照して説明する。
【００１７】
図２は電球形蛍光ランプの一実施の形態の一部を切り欠くとともにグローブを透視した側面図、図３は電球形放電ランプの一実施の形態のバルブを展開して示すとともにバルブを点灯する電気回路を示す説明図、図４は発光管の仕切体を透過した平面図である。
【００１８】
まず、図２に示すように、11は電球形蛍光ランプで、この電球形蛍光ランプ11は、口金12を有するカバー14、このカバー14に収納された放電灯点灯装置としての点灯回路16、透光性を有するグローブ17、このグローブ17に収納された放電ランプとしての発光管18を備えている。そして、口金12、カバー14およびグローブ17で構成される外囲器は、白熱電球などの一般照明用電球の規格寸法に近似する外形に形成されている。たとえばカバー14はグローブ17の形状に応じて形状が異ならせ、グローブ17がＡ形の場合にはグローブ17と協働してＡ形バルブに近い形状になるようにし、Ｇ形の場合にはＧ形バルブに近い球体の一部のような形状にする。なお、一般照明用電球とはＪＩＳ  Ｃ  ７５０１に定義されるものである。
【００１９】
そして、カバー14は、ポリブチレンテレフタレート（ＰＢＴ）などの耐熱性合成樹脂などにて形成されたカバー本体21を備えている。このカバー本体21は、下方に拡開する開口部を有する略円筒状をなし、白熱電球用照明器具への適合率を高めるために中間部から基端部にかけて細く形成し、上端部にエジソンタイプのＥ２６型などの受電手段として機能しセンターコンタクトおよび口金シェルを有する口金12が被せられ、接着剤または支持手段たとえばポンチによる機械的固着であるかしめなどにより固定されている。なお、点灯回路16は口金12のセンターコンタクトと、口金シェルとに接続される。
【００２０】
また、グローブ17は、透明あるいは光拡散性を有する乳白色などで、ガラスあるいは合成樹脂により、白熱電球などの一般照明用電球のガラス球と略同一形状の滑らかな曲面状に形成されているとともに、開口部の縁部には、カバー14の下端開口部の内側に嵌合する図示しない嵌合縁部が形成されている。なお、このグローブ17は、拡散膜などの別部材を組み合わせ、輝度の均一性を向上することもでき、あるいは省略することもできる。
【００２１】
また、点灯回路16は、水平状、すなわち発光管18の長手方向と垂直に配置される回路基板（ＰＣ板）24を備え、この回路基板24の両面すなわち口金12側である上面および発光管18側である下面に、複数の電気部品25，26が実装されている。
【００２２】
そして、回路基板24は、略円板状で、直径寸法は、５０ｍｍ程度の略円板と同等かそれよりも小さく形成されている。また、回路基板24の上面には、比較的熱に弱い、すなわち比較的耐熱性が低い電解コンデンサ、フィルムコンデンサなどの電気部品25が配置されているとともに、下面には、比較的熱に強く、すなわち比較的耐熱性が高い高さ寸法の小さいチップ状のチップ部品である電気部品26が配置されている。また、背の高い電気部品を頂点とする逆円錐状に配設されている。
【００２３】
また、図２ないし図４に示すように、発光管18は、内部に放電路が屈曲して形成されるコンパクトな形の透光性放電容器となるたとえばソーダライムガラス、鉛ガラスあるいはバリウムシリケートガラスなどの経済的な軟質ガラスまたはホウケイ酸ガラスなどの硬質または半硬質ガラスのガラスバルブ31を有している。このガラスバルブ31の内面に、結晶構造がγ形あるいはα形のＡｌ２Ｏ３のアルミナ微粒子を主体とする保護膜を介して、放電によって発生した紫外線を波長変換して所望波長域の可視光を得る耐熱特性、負荷特性および演色性に優れた三波長形蛍光体が塗布された図示しない蛍光体層が形成されており、これにより発光管18は蛍光ランプを構成している。また、ガラスバルブ31の内部にイオン化媒体となるアルゴンなどの希ガスや水銀などを含む放電ガスとなる封入ガスが封入され、ガラスバルブ31の両端に一対の電極32がピンチシールによって封装されている。また、希ガスとしては、アルゴン、クリプトン、キセノンあるいはネオンなどの一種または複数種を混合して数１０００〜数１００００Ｐａの圧力で封入する。なお、保護膜にα形のＡｌ２Ｏ３のアルミナ微粒子を用いれば、優れた光束立ち上がり特性となる。また、蛍光体層は、保護膜を介さずに内面に直接形成したり、反射膜などを介して間接的に形成してもよい。
【００２４】
そして、ガラスバルブ31は、略同形状の４本の管体33a，33b，33c，33dを有し、これら管体33a〜33dは、たとえば管外径が１３ｍｍ以下、好ましくは８〜１１ｍｍ、小形化を図ったものは３ｍｍ〜９ｍｍで、たとえば１０ｍｍのガラス製の断面略円筒状であって、長さ寸法が１１０〜１３０ｍｍの管が、中間部で滑らかに湾曲されて頂部を有する略Ｕ字状に形成されている。すなわち、各管体33a 〜33d は、滑らかに反転する屈曲部34と、この屈曲部34に連続する互いに平行な一対の直管部35とを備えている。なお、ガラスバルブ31のより小形化のための外径は、外径が３ｍｍ未満であると、ランプ電流が絞られすぎてしまい、所望のランプ入力を確保するためには、ランプ電流が小さくなる分について放電路長を長くして補う必要があるので小形化を図れなくなり、また、ランプ電圧が高くなるから始動電圧も高くなり、点灯回路も大形化するとともに、コストアップになる。反対に、ガラスバルブ31の外径が１３ｍｍを超えると、大きくなりすぎて、コンパクトな蛍光ランプを得にくくなる。なお、ガラスバルブ31の内径は、概ね外径に比例しの肉厚の２倍を外径から減算した値の平均値である。
【００２５】
また、ガラスバルブ31の中間部の各管体33b，33cの両端と、ガラスバルブ31の両端の各管体33a，33dの一端とがつなぎ部となる３つの連通管部36を介して順次接続されて１本の連続した放電路37が形成されている。連通管部36は、各管体33a〜33dの端部をバーナーで加熱溶融した後、吹き破ることによって形成された開口同士をつなぎ合わせて形成されている。そして、ガラスバルブ31は、放電路37の長さがランプ電力に応じて２５０ｍｍ〜５００ｍｍ程度に形成される。
【００２６】
そして、ガラスバルブ31が電球形蛍光ランプ11に組み込まれた状態において、各管体33a〜33dの頂部となる屈曲部34は、電球形蛍光ランプ11の上下方向を長手方向とする中心軸を中心とする所定の円周上に等間隔で位置され、また、各管体33a〜33dの直管部35も、電球形蛍光ランプ11の中心軸を中心とする所定の円周上に等間隔で位置され、すなわち、各管体33a〜33dの直管部35が断面四角形の各辺に対応して配置されている。
【００２７】
また、各管体33a〜33dの一端には排気管とも呼ばれる円筒状の細管38a，38b，38c，38dがそれぞれ連通状態で突設されている。ただし、ガラスバルブ31の両端部の管体33a ，33d の細管38a ，38d は電極32が封装される端部とは反対側である非電極側の端部に突設されている。これら各細管38a 〜38d は、ガラスバルブ31の製造過程で溶断によって順次封止され、各細管38a〜38dのうちの封止されていない一部を通じてガラスバルブ31内が排気されるとともに、封入ガスが封入されて置換された後に、その各細管38a〜38dのうちの封止されていない一部、たとえば細管38b を溶断することによって封止される。
【００２８】
さらに、各電極32は、たとえばタングステン（Ｗ）ワイヤを二重巻きしアルカリ土類金属の電子放射物質の酸化物を塗布したフィラメントコイル41を有し、このフィラメントコイル41が一対で２本の線状の電極用のウエルズ42に支持されている。各ウエルズ42は、ガラスバルブ31の両端の管体33a ，33d の端部にピンチシールによって封着されたジュメット線43を介して、管体33a ，33d の外部に導出されたワイヤ44に接続されている。このジュメット線43はバルブ端部のピンチシール部45によって封止されている。そして、ガラスバルブ31が電球形蛍光ランプ11に組み込まれる際に、ワイヤ44が点灯回路16に接続される。また、各電極32は封着の際にフィラメントコイル41の形状が乱れるのを防止するために、ビードマウント構造としてもよい。
【００２９】
なお、各管体33a〜33dの端部とも、ピンチシールによって封止されたピンチシール部45が形成されている。
【００３０】
また、中間部の一方の管体33c の細管38c には、その細管38a を封止する際にイオン化媒体としての水銀の放出源となる主アマルガム51が封入されている。この主アマルガム51は、ビスマス、インジウムおよび水銀にて構成されるＢｉ−Ｉｎ−Ｈｇ合金であり、略球形状で粒径約２．５ｍｍの粒子３個で４０〜１２０ｍｇ程度封入され、ガラスバルブ31内の水銀蒸気圧を適正な範囲に制御する。なお、主アマルガム51としては、ビスマス、インジウムの他に、たとえばＢｉ−Ｉｎ−Ｓｎ−Ｈｇのようにスズ、鉛などを組み合わせた合金によって形成したものを用いてもよい。また、水銀の含有量が６質量％程度になると、水銀がアマルガムの表面に滲み出てべとつきを生じやすいので、アマルガムを製造する際に、急冷して結晶粒子を小さくしたり、アマルガムの表面にべとつき防止処理をしたりすることが好ましい。また、ガラスバルブ31の外径が小さくなるほど、点灯時に放電空間内の水銀蒸気圧が均一に分布するまでに時間がかかりやすくなるので、主アマルガム51をガラスバルブ31の複数の位置で供給するとよい。
【００３１】
さらに、中間部の各管体33b，33cの細管38b，38cとは反対側である細管38b，38cを有していない側の端部には、放電路37の途中に位置し、消灯時にガラスバルブ31内の浮遊水銀を吸着しかつ始動時を含む点灯初期に吸着した水銀を放出する２つの放電路途中の補助アマルガム52が配設されている。すなわち、ガラスバルブ31の放電路途中のイオン化媒体としての水銀の放出源となる２つの補助アマルガム52に挟まれる管体33c の端部に主アマルガム51が配置されている。
【００３２】
また、補助アマルガム52は、管体33b，33cの軸方向に長い長方形板状でたとえばＳＵＳ製の基板53を有し、この基板53の一端がニッケル（Ｎｉ）製で１本の線状の支持部材としての補助アマルガム用のウエルズ54に溶接にて取り付けらている。基板53には、ウエルズ54との溶接箇所から離反した箇所に水銀を吸着するインジウム（Ｉｎ）などの金属メッキ55が施されている。そして、ウエルズ54との溶接箇所から離反した箇所に金属メッキ55を施すことにより、ランプ点灯時に金属メッキ55のインジウムが溶けてウエルズ54に達するために、ウエルズ54のニッケルとインジウムとの反応によって合金を形成して水銀蒸気圧特性を損なうというようなことがなく、経時的な使用による始動時の光束の立ち上がり特性の低下を防止できる。
【００３３】
また、両端の各管体33a ，33d の電極32の一方のウエルズ42には、補助導体となる電極側の補助アマルガム56が取り付けられている。この補助アマルガム56は、補助アマルガム52と同様に構成され、同様の水銀蒸気圧特性を有する。
【００３４】
また、ガラスバルブ31の補助アマルガム52が配置される中間の管体33b，33cの端部であるピンチシール部45と連通管部36との距離Ｌは８〜１５ｍｍの範囲に形成されている。このようにすることで、管体33a〜33dを連通管部36で接続する接続加工時に、ウエルズ54が受ける熱影響を少なくしてウエルズ54が高温となって封止箇所であるピンチシール部45にクラックが発生するのが防止される。
【００３５】
また、発光管18は、蛍光ランプ固定部材でありまた点灯回路固定部材である支持手段としての仕切板61に取り付けられ、この仕切板61がカバー14に固定されている。すなわち、仕切板61は、円板状をなす基板部62を備え、この基板部62に形成された取付孔62a に、各管体33a 〜33dの端部を挿入したうえたとえばシリコーン接着剤にて接着などして、発光管18が仕切板61に固定されている。また、基板部62の外周部からは、上側に向かいさらに外側に向かう嵌合段部63が形成されている。そして、この嵌合段部63をカバー14の内側に嵌合し、さらに、この嵌合段部63とカバー14との間にグローブ17の嵌合縁部を嵌合した状態で、嵌合段部63とカバー14との間にたとえばシリコーン接着剤を充填することにより、これらの部材が互いに固定されている。また、嵌合段部63の上側には、円筒状などをなす取付片部64が突設され、この取付片部64に、嵌合あるいは接着などして、点灯回路16の回路基板24が取り付けられている。
【００３６】
次に、点灯回路16を図１を参照して説明する。
【００３７】
図１は点灯回路を示す回路図で、この図１に示すように、商用交流電源ｅに２線式の調光器71が接続され、商用交流電源ｅおよびこの調光器71で位相制御により出力電圧可変の交流電源72を構成している。また、２線式の調光器71は、トライアックQ1を備え、このトライアックQ1に対して並列にノイズ吸収用のコンデンサC1が接続され、トライアックQ1のゲートにはトリガ用のダイアックQ2が接続され、このダイアックQ2は位相角設定用の可変抵抗R1を介してトライアックQ1の一端側に接続されるとともに、コンデンサC2を介してトライアックQ1の他端側に接続されている。そして、可変抵抗R1の抵抗値を変化させることにより可変抵抗R1およびコンデンサC2の時定数を変化させて、トライアックQ1がオンする位相を変化させ、平均電圧を変化させて全光点灯および調光点灯を設定する。
【００３８】
また、調光器71を介した商用交流電源ｅには、インピーダンス素子Z1が接続され、このインピーダンス素子Z1に対して並列にコンデンサC3が接続されている。そして、調光器71を介した商用交流電源ｅには直流カット回路73を介して４つのダイオードD1〜D4で構成された全波整流回路74の入力端子が接続されている。また、直流カット回路73は商用交流電源ｅに対して直列にそれぞれ２２０μＦ以上の２つの電解コンデンサC4，C5が直列に極性を逆向きにして接続されて形成され、電解コンデンサC4に対しては電解コンデンサC4に逆極性の電圧が印加されたときに導通する方向の極性で電解コンデンサC4の逆電圧を防止するダイオードD5が接続され、電解コンデンサC5に対しては電解コンデンサC5に逆極性の電圧が印加されたときに導通する方向の極性で電解コンデンサC5の逆電圧を防止するダイオードD6が接続されている。なお、直流カット回路73には極性を有さないコンデンサの場合には、商用交流電源ｅに対して直列に一つ設けるのみでも良く、いずれの場合にも１００Ｖ、２０Ｗクラスの場合には、１００μＦ以上、たとえば３３０μＦ程度でよい。また、ヒステリシスの状態にもよるが、４０Ｖ以下程度のフィルムコンデンサを用いれば良い。
【００３９】
さらに、全波整流回路74の出力端子には、インダクタL1および抵抗R2の直列回路が接続され、発生する高周波ノイズを商用交流電源ｅに流出しないように除去するフィルタ回路75を構成している。
【００４０】
そして、抵抗R2には、非平滑直流電圧のピーク値がそのまま残存し全波整流回路74から出力された非平滑直流電圧の谷の部分を埋めて部分的な平滑電圧を形成する部分平滑回路76が接続されている。この部分平滑回路76は、抵抗R2に対して並列に高周波バイパス用のコンデンサC6が接続され、このコンデンサC6に対して並列に、電解コンデンサC7、ダイオードD7、抵抗R3、電解コンデンサC8、抵抗R4および抵抗R5の直列回路が接続され、電解コンデンサC7およびダイオードD7の接続点と全波整流回路74の負極との間にダイオードD7と逆極性にダイオードD8が接続され、電解コンデンサC7、ダイオードD7および抵抗R3の直列回路に対して並列に逆極性のダイオードD9が接続されている。
【００４１】
また、部分平滑回路76には、ハーフブリッジ形のインバータ回路77が接続されている。このインバータ回路77は、２つの相補型のＮチャネルでＭＯＳ形の電界効果トランジスタQ4およびＰチャネルでＭＯＳ形の電界効果トランジスタQ5が直列に接続され、周波数１０ｋＨｚ以上、好適には周波数２０〜２００ｋＨｚの高周波交流を出力する。また、電界効果トランジスタQ4および電界効果トランジスタQ5は起動用の抵抗R6および抵抗R7を介して商用交流電源ｅの一端に接続されるとともに、電界効果トランジスタQ5のドレイン、ソース間に起動用の抵抗R8およびコンデンサC11が並列に接続されている。さらに、電界効果トランジスタQ4のゲート、ソース間には逆極性に接続されたツェナダイオードZD1およびツェナダイオードZD2の直列回路が接続されるとともに、コンデンサC12および帰還トランスTr1の二次巻線Tr1bが接続されている。そして、帰還トランスTr1の二次巻線Tr1bに対して並列に、コンデンサC13および電界効果トランジスタQ6の直列回路が接続されている。
【００４２】
また、電界効果トランジスタQ3は調光が下限値以下になると発振を停止させる保護回路78の一部で、この保護回路78は抵抗R3および電解コンデンサC8の接続点および抵抗R4の間にツェナダイオードZD3、抵抗R8および抵抗R9の直列回路が接続され、抵抗R9に対して並列にコンデンサC14が接続され、抵抗R8および抵抗R9の接続点に電界効果トランジスタQ7のゲートが接続され、この電界効果トランジスタQ7のドレインは抵抗R11を介して抵抗R3および電解コンデンサC8の接続点に接続され、抵抗R12に対して並列にコンデンサC15が接続されている。さらに、抵抗R8および抵抗R9の接続点から、抵抗R13およびダイオードD11を介して電界効果トランジスタQ3のドレインに接続され、この電界効果トランジスタQ3のドレインはダイオードD12を介して電界効果トランジスタQ4および電界効果トランジスタQ5のゲートに接続されている。また、電界効果トランジスタQ3のドレインは、ダイオードD13、抵抗R14、抵抗R15および抵抗R16の直列回路を介してインダクタL1に接続されている。さらに、ダイオードD13および抵抗R14の接続点は、ツェナダイオードZD4、抵抗R17および抵抗R18の直列回路を介して、電界効果トランジスタQ4および電界効果トランジスタQ5の接続点に接続され、抵抗R17および抵抗R18の接続点は電界効果トランジスタQ6のゲートに接続されている。
【００４３】
さらに、電界効果トランジスタQ5のドレイン、ソース間には、負荷回路79が接続され、この負荷回路79は帰還トランスTr1の一次巻線Tr1aから単巻線トランスの昇圧トランスTr2の直列巻線Tr2a、抵抗R18および直流カット用のコンデンサC16の直列回路に接続され、昇圧トランスTr2の共通巻線Tr2aは直列巻線Tr2b、抵抗R18および限流インダクタL2を介して発光管18のフィラメントコイル41，41のそれぞれの一端に接続され、このフィラメントコイル41，41の他端間には始動用のコンデンサC17および抵抗R19の直列回路が接続されている。
【００４４】
次に、上記実施の形態の点灯回路16の動作について説明する。
【００４５】
まず、調光器71が接続されていないあるいは調光器71が全光点灯状態に設定されているときについて説明する。なお、点灯回路16は調光器71が接続されている商用交流電源ｅあるいは調光器71が接続されていない商用交流電源ｅのいずれにも対応可能である。
【００４６】
商用交流電源ｅの電圧は抵抗R6、抵抗R7、ツェナダイオードZD1，ZD2または抵抗R7、コンデンサC12、帰還トランスTr1の二次巻線Tr1bを介して抵抗R8およびコンデンサC11に印加され、電界効果トランジスタQ4をオンする。
【００４７】
電界効果トランジスタQ4がオンすると、部分平滑回路76から、電界効果トランジスタQ4、帰還トランスTr1の一次巻線Tr1a、昇圧トランスTr2の直列巻線Tr2b、インダクタL2、フィラメントコイル41、コンデンサC17、抵抗R19、フィラメントコイル41、コンデンサC16、抵抗R4に電圧が印加され、主としてコンデンサC17および限流インダクタL2などの共振により、電界効果トランジスタQ4および電界効果トランジスタQ5のオンしていた一方がオフし、他方がオンする。
【００４８】
この動作を繰り返し高周波交流電圧を発生して、フィラメントコイル41，41が予熱され、フィラメントコイル41，41間が所定値以上の電圧になると、発光管18が始動、点灯する。
【００４９】
また、部分平滑回路76の電解コンデンサC7，C8のそれぞれには、全波整流回路74からの平滑直流電圧によって、非平滑直流電圧のピーク値の１／２の電圧が充電される。一方、放電時にはダイオードD7〜D9により、各電解コンデンサC7，C8が並列に放電する。このため、商用交流電源ｅの半波整流波形における谷の部分が埋められて、電解コンデンサC7，C8にいわゆる部分平滑電圧が発生する。このように部分平滑回路76を用いたことにより、調光によって非平滑直流電圧の導通角が変化するが、部分平滑回路76では非平滑直流電圧の導通角に応じて全波整流回路74から部分平滑回路76に流入する入力電流の大きさが変化するとともに、平滑化直流電圧も変化する。このため、調光による導通角の変化と、発光管18に供給されるランプ電流の大きさとが相関を示し、調光がスムースとなり、調光特性が良好になる。また、入力電圧が高くなるとツェナダイオードZD4がオンして電界効果トランジスタQ6がオンするので、コンデンサC13が電気的に接続され、電界効果トランジスタQ4および電界効果トランジスタQ5の発振周波数が低くなり、ランプ電流が増加して発光管18は明るくなる。
【００５０】
さらに、調光器71の可変抵抗R1を操作することによりダイアックQ2の動作する位相角を変化させ、トライアックQ1の導通位相角が変化し、平均電圧を低下させて発光管18を調光する。すなわち、調光により入力電圧が低くなるとツェナダイオードZD4がオフして電界効果トランジスタQ6がオフするので、コンデンサC13が電気的に接続されていない状態になり、電界効果トランジスタQ4および電界効果トランジスタQ5の発振周波数が高くなり、ランプ電流が減少して発光管18は暗くなる。そして、たとえば深調光して位相角が大きくなりトライアックQ1の動作が正負で対称とならない場合、入力電流にヒステリシスが生じて正負の波高値のアンバランスが生じると、部分平滑回路76の場合には正負のアンバランスがそのままインバータ回路77に出力されて、発光管18に入力される電流が正負非対称のヒステリシスを有し、正負で波高値が異なってしまい、発光管18がちらつくおそれがある。しかしながら、トライアックQ1の非対称な動作によりヒステリシスが生じた直流成分を直流カット回路73の電解コンデンサC4，C5でカットすることにより、直流成分がない交流が部分平滑回路76を介してインバータ回路77に供給され、正負で波高値が等しく正負対称になるため発光管18のちらつきを防止できる。
【００５１】
またさらに、下限値以上に調光した場合には、電解コンデンサC8の電圧が低下し、ツェナダイオードZD3がオフして電解トランジスタQ7がオフし、電界効果トランジスタ3がオンすることにより電界効果トランジスタ4および電界効果トランジスタQ5のゲートが全波整流回路74の負極の電位に落ちるため、電界効果トランジスタQ4がオフし、インバータ回路77の発振は停止する。
【００５２】
実験によると、直流カット回路73を有さない場合には、図５（ａ）に示すように、入力電圧波形は正負で波高値が異なり正負非対称になり、図５（ｂ）に示すように、発光管18のランプ電流は商用交流電源ｅの周波数の５０Ｈｚ毎に波高値が異なってちらつきが生ずる。
【００５３】
しかしながら、商用交流電源ｅに直列に接続した電解コンデンサC4，C5を有する直流カット回路73を設けることにより、図６（ａ）に示すように、トライアックQ1のアンバランスなスイッチングが生じても正負の波高値が異なることによる直流成分はカットされ、ヒステリシスの影響が小さくなり、図６（ｂ）に示すように、発光管18のランプ電流は波高値が一定になるためちらつきが生じない。
【００５４】
また、電解コンデンサC4，C5にはそれぞれダイオードD5，D6が接続されているため、図６（ｃ）に示すように、電解コンデンサC4，C5のいずれも逆電圧が印加されず、電解コンデンサC4，C5に悪影響もない。
【００５５】
次に、他の実施の形態の点灯回路16を図７を参照して説明する。
【００５６】
図７は点灯回路を示す回路図で、図１に示す点灯回路16において、インピーダンス素子Z1は有しておらず、フィルタ回路75トライアックQ1に直列に接続されたインダクタL3とコンデンサC3で構成されている。
【００５７】
また、部分平滑回路76は、全波整流回路74の出力端子間に、電解コンデンサC21、ダイオードD21、電解コンデンサC22、ダイオードD22、電解コンデンサC23および抵抗R21の直列回路が接続され、電解コンデンサC21およびダイオードD21の直列回路に対して並列にダイオードD23が接続され、ダイオードD21、電解コンデンサC22、ダイオードD22、電解コンデンサC23および抵抗R23の直列回路に対して並列にダイオードD24が接続され、ダイオードD22、電界コンデンサC23および抵抗R21の直列回路に並列にダイオードD25が接続され、電解コンデンサC21、ダイオードD21および電解コンデンサC22の直列回路に対して並列にダイオードD26が接続されている。そして、部分平滑回路76の電解コンデンサC21，C22，C23のそれぞれには、全波整流回路74からの平滑直流電圧によって、非平滑直流電圧のピーク値の１／３の電圧が充電される。一方、放電時にはダイオードD21〜D26により、各電解コンデンサC21，C22，C23が並列に放電する。
【００５８】
さらに、ヒステリシス防止回路81は、抵抗R21に対して並列にスイッチング素子としての電界効果トランジスタQ11が並列に接続され、この電界効果トランジスタQ11のゲートはツェナダイオードZD5および抵抗R22の直列回路を介してダイオードD22および電解コンデンサC23の接続点に接続されるとともに、抵抗R23およびコンデンサC24の並列回路を介して全波整流回路74の負極に接続されている。
【００５９】
また、抵抗R3、抵抗R4、電界効果トランジスタQ6、抵抗R8、ツェナダイオードZD4、抵抗R15および抵抗R16を有していない。さらに、電界効果トランジスタQ4のゲートには抵抗R24が接続され、電界効果トランジスタQ5のゲートには抵抗R25が接続されている。
【００６０】
そして、昇圧トランスTr2の共通巻線Tr2aに対して直列に直流カット用のコンデンサC25が接続され、昇圧トランスTr2の直列巻線Tr2bにはフィラメントコイル41の予熱用のフィラメントトランスTr3の一次巻線Tr3aが接続され、このフィラメントトランスTr3の二次巻線Tr3bにはフィラメントコイル41が接続されている。また、フィラメントコイル41，41間には、始動用のコンデンサC26が接続されている。
【００６１】
次に、この図７に示す点灯回路16の動作について説明する。
【００６２】
基本的な動作は図１に示す点灯回路16と同様である。
【００６３】
そして、全光点灯の際には部分平滑回路76からの電圧が高いため発光管18は入力電流も大きくなって全光点灯する。また、電解コンデンサC23に充電される電圧が高いため、ツェナダイオードZD5がオンし電界効果トランジスタQ11がオンするので、抵抗R21を短絡し、電気的には電解コンデンサC23に対して直列に抵抗R23が接続されていない状態になる。したがって、部分平滑回路は通常通り、全波整流回路74の出力電圧にしたがって部分平滑し、抵抗R21も接続されていないので効率も低下しない。
【００６４】
一方、調光点灯の際には部分平滑回路76からの電圧が低いため発光管18は入力電流も小さくなって調光点灯する。また、平均電圧が低下するため電解コンデンサC23充電される電圧が所定値より低いため、ツェナダイオードZD5がオフし電界効果トランジスタQ11がオフするので、電解コンデンサC23に対して直列に抵抗R23が接続されている状態となる。したがって、たとえば深調光して位相角が大きくなりトライアックQ1の動作が正負で対称とならない場合、入力電流にヒステリシスが生じて正負の波高値のアンバランスが生じても、ヒステリシスが生じた電圧波形を抵抗R21により抑制することにより、部分平滑回路76の出力電圧のヒステリシスを抑制でき正負で波高値が等しく正負対称になるため発光管18のちらつきを防止できる。
【００６５】
また、全光時には全平滑回路の場合には入力力率が６０％程度になるが、部分平滑回路76を用いることにより入力力率を８５％以上にすることができ、電解コンデンサC21，C22，C23に流れる電流が小さく、入力電流が小さくなる。
【００６６】
実験によると、ヒステリシス防止回路81を有さない場合には、図８（ａ）に示すように、入力電圧波形は正負で波高値が異なり正負非対称になり、図８（ｂ）に示すように、入力電流も正負非対称となり、図８（ｃ）に示すように、発光管18のランプ電流は商用交流電源ｅの周波数の５０Ｈｚ毎に波高値が異なってちらつきが生ずる。
【００６７】
しかしながら、電解コンデンサC21，C22，C23に対して直列に抵抗R21を接続したヒステリシス防止回路81を設けることにより、図９（ａ）に示すように、入力電圧波形は正負で波高値が異なり正負非対称になっても、トライアックQ1のアンバランスなスイッチングが生じても正負の波高値が異なることを抵抗Ｒ21により抑制し、図９（ｂ）に示すように、ヒステリシスの影響が小さくなり、図９（ｃ）に示すように、発光管18のランプ電流は波高値が一定になるためちらつきが生じない。
【００６８】
次に、他の実施の形態の点灯回路16を図１０を参照して説明する。
【００６９】
図１０は点灯回路を示す回路図で、図７に示す点灯回路16において、ダイオードD22および電解コンデンサC23の間にヒステリシス防止回路82を接続したものである。このヒステリシス防止回路82は、ダイオードD22および電解コンデンサC23の間に抵抗R27および抵抗R28の直列回路を接続し、この抵抗R27および抵抗R28の直列回路に対して並列にいわゆるポジスタなどの正温度特性のＰＴＣサーミスタR29を接続したものである。また、抵抗R27および抵抗R28は１０Ω、ＰＴＣサーミスタは全光時には１０Ω、調光時には突入電流が増加して発熱により温度上昇するため１ｋΩ以上で、全光時の合成抵抗は６．７Ω、調光時の合成抵抗は２０Ωに設定される。そして、この抵抗を１０Ωから１００Ω程度にした場合に、ヒステリシスを抑制できるので、合成抵抗が２０Ωであることにより、ヒステリシスを抑制できる。
【００７０】
次に、この図１０に示す点灯回路16の動作について説明する。
【００７１】
基本的な動作は図７に示す点灯回路16と同様である。
【００７２】
そして、全光点灯の際には大きな突入電流はないのでＰＴＣサーミスタR29はあまり発熱せず抵抗値は低い状態である。したがって、部分平滑回路は通常通り、全波整流回路74の出力電圧にしたがって部分平滑し、ＰＴＣサーミスタR29の抵抗も低いので効率も低下しない。
【００７３】
一方、調光点灯の際には突入電流によりＰＴＣサーミスタR29が発熱して抵抗値が高くなる。したがって、たとえば深調光して位相角が大きくなりトライアックQ1の動作が正負で対称とならない場合、入力電流にヒステリシスが生じて正負の波高値のアンバランスが生じても、ヒステリシスが生じた電圧波形を抵抗R21により抑制することにより、部分平滑回路76の出力電圧のヒステリシスを抑制でき正負で波高値が等しく正負対称になるため発光管18のちらつきを防止できる。
【００７４】
次に、本発明の前提技術の点灯回路16を図１１を参照して説明する。
【００７５】
図１１は点灯回路を示す回路図で、図１に示す点灯回路16において、フィルタ回路75を図７と同様にし、保護回路78を取り除いている。また、ランプ電流制御回路83は、ダイオードD7および抵抗R3の接続点にツェナダイオードZD6および抵抗R31の直列回路を介してトランジスタQ8のベースが接続され、このトランジスタQ8のコレクタ、エミッタ間にはコンデンサC32が接続されている。さらに、電解コンデンサC8に対して並列に、抵抗R32および抵抗R33の直列回路が接続され、抵抗R33に対して並列にコンデンサC33およびツェナダイオードZD7の並列回路が接続され、抵抗R32および抵抗R33の接続点は抵抗R34を介してトランジスタQ9のエミッタに接続され、このトランジスタQ9のエミッタ、ベース間には抵抗R34を介して抵抗R35が接続されている。また、トランジスタQ9のコレクタは、抵抗R36を介して全波整流回路74の負極に接続され、抵抗R36にはコンデンサC34が並列に接続されている。さらに、トランジスタQ34のコレクタは、ダイオードD31を介して電界効果トランジスタQ6のゲートに接続されている。また、発光管18のフィラメントコイル41にはランプ電流が流れる経路に電流検出抵抗R37が接続され、この抵抗R37はダイオードD32を介してトランジスタQ8のコレクタに接続されている。
【００７６】
さらに、負荷回路79は、帰還トランスTr1の一次巻線Tr1aに対して直列に直流カット用のコンデンサC35が接続されるとともに、昇圧トランスTr2の共通巻線Tr2aには直流カット用のコンデンサC36が接続されている。また、昇圧トランスTr2の直列巻線Tr2bにはフィラメント予熱用のフィラメント予熱トランスTr4の一次巻線Tr4aが接続され、このフィラメント予熱トランスTr4の二次巻線Tr4b，Tr4cはそれぞれフィラメントコイル41，41に接続されている。
【００７７】
次に、上記前提技術の点灯回路16の動作について説明する。
【００７８】
なお、基本的な動作は図１に示す点灯回路16と同様である。
【００７９】
まず、全光点灯状態に設定され入力電圧が高くなると電解コンデンサC8の充電電圧が高くなるため、ツェナダイオードZD6がオンしてトランジスタQ8がオンするので、トランジスタQ9がオンしてコンデンサC34の充電電圧が高くなる。このため電界効果トランジスタQ6の見掛け上の抵抗値が低下してコンデンサC13が電気的に接続され、電界効果トランジスタQ4および電界効果トランジスタQ5の発振周波数が低くなり、ランプ電流が増加して発光管18は明るくなる。
【００８０】
一方、調光器71の可変抵抗R1を操作することによりダイアックQ2の動作する位相角を変化させ、トライアックQ1の導通位相角が変化し、平均電圧を低下させて発光管18を調光する。すなわち、調光により入力電圧が低くなると電解コンデンサC8の充電電圧が低くなるため、ツェナダイオードZD6がオフしてトランジスタQ8がオフするので、コンデンサC13が電気的に接続されていない状態になり、電界効果トランジスタQ4および電界効果トランジスタQ5の発振周波数が高くなり、ランプ電流が所定の値に減少して発光管18は暗くなる。また、抵抗37に流れる電流がたとえば２０ｍＡ程度に大きくなるとトランジスタQ3をオフして、ランプ電流のピークをホールドしてランプ電流が所定値以上上昇しないようにする。したがって、たとえば深調光して位相角が大きくなりトライアックQ1の動作が正負で対称とならない場合、入力電流にヒステリシスが生じて正負の波高値のアンバランスが生じても、ランプ電流を所定値で一定になるように低下させることにより発光管18のちらつきを防止できる。また、ランプ電流のピーク値を所定値以下に低下させることにより、ヒステリシスが発生していてもランプ電流は所定値以下にクリップされるのでちらつきを防止できる。
【００８１】
実験によると、図１２（ａ）に示すように、正負で波高値が異なる正負非対称の入力電圧が印加されると、ランプ電流制御回路83がない場合には、図１２（ｂ）に示すように、ランプ電流は波高値が異なってちらつきが生ずるのに対し、ランプ電流制御回路83を設けることにより、ランプ電流を所定のピーク値でクリップすることにより必要以上に高い電流のピークは抑制されて波高値が一定に近くなり、図１２（ｃ）に示すように、発光管18のランプ電流は波高値が一定になるためちらつきが生じない。
【００８２】
次に、他の実施の形態の点灯回路16を図１３を参照して説明する。
【００８３】
図１３は点灯回路を示す回路図で、図１１に示す点灯回路16において、インバータ回路78の周波数による出力制御関係の回路を除去している。そして、平滑方式切替回路84は、全波整流回路74の入力端子にダイオードD32および抵抗R41の直列回路およびダイオードD33および抵抗42の直列回路を接続し、これら抵抗R41および抵抗R42の接続点をコンデンサC41を介して全波整流回路74の負極に接続している。また、このコンデンサC41に対して並列に、ツェナダイオードZD8および抵抗R41の直列回路を接続し、抵抗R43に対して並列にコンデンサC42を接続し、ツェナダイオードZD8および抵抗R43の接続点にトランジスタQ11のベースを接続している。また、このトランジスタQ11のコレクタ、エミッタ間にコンデンサC43を接続し、トランジスタQ11のコレクタを電界効果トランジスタQ12のゲートに接続している。さらに、この電界効果トランジスタQ12のドレイン、ソースはダイオードD8の両端間に接続されている。また、抵抗R41および抵抗R42の接続点は抵抗R44を介して電界効果トランジスタQ12のゲートに接続されている。
【００８４】
次に、この図１３に示す点灯回路16の動作について説明する。
【００８５】
基本的な動作は図１１に示す点灯回路16と同様である。
【００８６】
まず、全光点灯状態に設定され入力電圧が高くなるとコンデンサC41の充電電圧が高くなるため、ツェナダイオードZD8がオンしてトランジスタQ11がオンするので、電界効果トランジスタQ12がオフして部分平滑回路76が部分平滑として機能する。また、調光器71で全光に設定されているため、部分平滑回路76およびインバータ回路77に入力される電圧が高くなり、ランプ電流が増加して発光管18は明るくなる。
【００８７】
一方、調光器71の可変抵抗R1を操作することによりダイアックQ2の動作する位相角を変化させ、トライアックQ1の導通位相角が変化し、平均電圧を低下させて発光管18を調光する。すなわち、調光により入力電圧が低くなるとコンデンサC41の充電電圧が低くなるため、ツェナダイオードZD8がオフしてトランジスタQ11がオフするので、電界効果トランジスタQ12がオンして、全波整流回路74の出力端子間にコンデンサC7が電気的に接続された状態になる。したがって、たとえば深調光して位相角が大きくなりトライアックQ1の動作が正負で対称とならない場合、入力電流にヒステリシスが生じて正負の波高値のアンバランスが生じても、部分平滑回路76は全波整流することになるので、ランプ電流を平滑して発光管18のちらつきを防止できる。
【００８８】
実験によると、図１４（ａ）に示すように、正負で波高値が異なる正負非対称の入力電圧が印加されると、平滑方式切替回路84がない場合には、図１４（ｂ）に示すように、ランプ電流は波高値が異なってちらつきが生ずるのに対し、平滑方式切替回路84を設けることにより、部分平滑回路76は全平滑することによりインバータ回路77に入力される電圧が全平滑され、図１４（ｃ）に示すように、発光管18のランプ電流は波高値が一定になるためちらつきが生じない。
【００８９】
なお、調光器71は、一般的には電球形蛍光ランプ11を構成するものではなく、室内の壁面に埋設されたり、照明器具に内蔵されたりして用いられるが、電球形蛍光ランプ11に組み込むことができる。
【００９０】
【発明の効果】
請求項１記載の放電灯点灯装置によれば、交流電源の位相制御による正負の波高値のアンバランスが生じても、正負のアンバランスによる直流成分を直流カット回路のコンデンサでカットすることにより、直流成分がない交流が平滑回路を介してインバータ回路に供給され、このインバータ回路により放電ランプを点灯することにより、放電ランプのちらつきを防止できる。
【００９１】
請求項２記載の放電灯点灯装置によれば、請求項１記載の放電灯点灯装置に加え、直流カット回路はコンデンサが複数直列に接続されているので、安価に小形化できる。
【００９２】
請求項３記載の放電灯点灯装置によれば、請求項２記載の放電灯点灯装置に加え、電解コンデンサを用いることにより小形化および大容量化を図れるが、電解コンデンサは逆極性の電圧を印加できないので、直列に異なる極性で接続して、極性の異なる電解コンデンサによりそれぞれ異なる極性の電圧を分担できる。
【００９３】
請求項４記載の放電灯点灯装置によれば、請求項３記載の放電灯点灯装置に加え、電解コンデンサに逆極性の電圧が印加されてもダイオードにより導通することにより、電解コンデンサには逆極性の電圧が印加されないため、電解コンデンサの破壊を防止できる。
【００９４】
請求項５記載の放電灯点灯装置によれば、たとえば位相制御により交流電源の平均電圧を低下させて正負の波高値のアンバランスが生じても、ヒステリシス防止回路の制御手段により短絡手段を開放して平滑コンデンサに対して直列に抵抗を接続させることにより、インバータ回路に印加する電圧の正負非対称を抑制することにより、正負非対称を抑制した電圧がインバータ回路に供給され、このインバータ回路により放電ランプを点灯することにより、放電ランプのちらつきを防止できる。
【００９５】
請求項６記載の放電灯点灯装置によれば、請求項５記載の放電灯点灯装置に加え、平滑コンデンサの電圧に従いスイッチング素子を制御することにより、簡単な構成で交流電源の平均電圧に対応できる。
【００９６】
請求項７記載の放電灯点灯装置によれば、抵抗は交流電源のヒステリシス特性を抑制可能な抵抗値であるので平滑コンデンサに直列に接続することにより、正負非対称を抑制した電圧がインバータ回路に供給され、このインバータ回路により放電ランプを点灯することにより、放電ランプのちらつきを防止できる。
【００９７】
請求項８記載の放電灯点灯装置によれば、請求項７記載の放電灯点灯装置に加え、平均電圧が高いときにはヒステリシス特性が小さいので抵抗値を小さくすることによりインバータ回路の効率の低下を防止し、平均電圧が低いときにはヒステリシス特性が大きいので抵抗値を大きくすることによりヒステリシス特性を抑制できる。
【００９８】
請求項９記載の放電灯点灯装置によれば、請求項７または８記載の放電灯点灯装置に加え、正特性サーミスタを用いることにより平均電圧が高いときには正特性サーミスタに流れる電流は大きくないため発熱せず抵抗値は低い状態になり、平均電圧が低いときには正特性サーミスタに流れる電流が増加して発熱して抵抗値は高い状態にできる。
【００９９】
請求項１０記載の放電灯点灯装置によれば、通常時には平滑回路により部分平滑してインバータ回路に電圧を印加することにより、交流電源の電圧に追従して放電ランプの輝度を調整でき、平均電圧が所定値以上低下すると平滑回路は全平滑することにより、交流電源の周波数に対して発生する正負非対称を抑制した電圧がインバータ回路に供給され、このインバータ回路により放電ランプを点灯することにより、放電ランプのちらつきを防止できる。
請求項１１記載の電球形蛍光ランプによれば、請求項１ないし１０いずれか一記載の放電灯点灯装置を収納するとともに蛍光ランプを支持するカバーと、放電灯点灯装置が電気的に接続されるとともにカバーの基端に配設された口金とを具備したので、それぞれの効果を奏することができる。
【０１００】
請求項１２記載の電球形蛍光ランプによれば、請求項１１記載の電球形蛍光ランプに加え、蛍光ランプが収納されカバーとともにほぼ電球形状を形成するグローブを具備したもので、電球に比べて低い消費電力で電球に代えて用いることができる。
【図面の簡単な説明】
【図１】  本発明の一実施の形態の点灯回路を示す回路図である。
【図２】  同上電球形蛍光ランプの一実施の形態の一部を切り欠くとともにグローブを透視した側面図である。
【図３】  同上電球形放電ランプの一実施の形態のバルブを展開して示すとともにバルブを点灯する電気回路を示す説明図である。
【図４】  同上発光管の仕切体を透過した平面図である。
【図５】  同上ヒステリシス防止回路を有さない点灯回路の動作を示す波形図である。
（ａ）  入力電圧
（ｂ）  ランプ電流
【図６】  同上図1に示す点灯回路の動作を示す波形図である。
（ａ）  入力電圧
（ｂ）  ランプ電流
（ｃ）  電解コンデンサC4，C5の電圧
【図７】  同上他の実施の形態の点灯回路を示す回路図である。
【図８】  同上図７のヒステリシス防止回路を動作させない場合の点灯回路の動作を示す波形図である。
（ａ）  入力電圧
（ｂ）  入力電流
（ｃ）  ランプ電流
【図９】  同上図７の点灯回路の動作を示す波形図である。
（ａ）  入力電圧
（ｂ）  入力電流
（ｃ）  ランプ電流
【図１０】  同上他の実施の形態の点灯回路を示す回路図である。
【図１１】  同上前提技術の点灯回路を示す回路図である。
【図１２】  同上図１１の点灯回路の動作を示す波形図である。
（ａ）  入力電圧
（ｂ）  ヒステリシス防止回路を動作させない場合のランプ電流
（ｃ）  ランプ電流
【図１３】  同上他の実施の形態の点灯回路を示す回路図である。
【図１４】  同上図１３の点灯回路の動作を示す波形図である。
（ａ）  入力電圧
（ｂ）  ヒステリシス防止回路を動作させない場合のランプ電流
（ｃ）  ランプ電流
【符号の説明】
11    電球形蛍光ランプ
12    口金
14    カバー
16    放電灯点灯装置としての点灯回路
17    グローブ
18    放電ランプとしての発光管
72    交流電源
73    直流カット回路
77    インバータ回路
81，82    ヒステリシス防止回路
84    平滑方式切替回路
C4，C5    コンデンサ
D5，D6    ダイオード
Q11   スイッチング素子としての電界効果トランジスタ
【図１】
0004099627.tif 000002
【図２】
0004099627.tif 000003
【図３】
0004099627.tif 000004
【図４】
0004099627.tif 000005
【図５】
0004099627.tif 000006
【図６】
0004099627.tif 000007
【図７】
0004099627.tif 000008
【図８】
0004099627.tif 000009
【図９】
0004099627.tif 000010
【図１０】
0004099627.tif 000011
【図１１】
0004099627.tif 000012
【図１２】
0004099627.tif 000013
【図１３】
0004099627.tif 000014
【図１４】
0004099627.tif 000015